(57)【要約】【課題】２次育苗のための鉢上げを実施せずに、第１花房が展開するまで植物を育苗することが可能な育苗用培地を提供する。また、苗の徒長を防止することが可能な育苗用培地を提供する。【解決手段】育苗用培地１０は、播種用の凹部１１が上面に形成されている多孔質体１２の側面が非透水性のフィルム１３で取り外し可能に覆われている。多孔質体１２は、メラミン樹脂を含む。【選択図】図１
2019170340.tif 000002
【特許請求の範囲】
【請求項１】
播種用の凹部が上面に形成されている多孔質体の側面が非透水性のフィルムで取り外し可能に覆われており、
前記多孔質体は、メラミン樹脂を含むことを特徴とする育苗用培地。
【請求項２】
前記凹部は、深さが５ｍｍ〜１０ｍｍの範囲内の切り込みであることを特徴とする請求項１に記載の育苗用培地。
【請求項３】
前記切り込みは、十字状または格子状であることを特徴とする請求項２に記載の育苗用培地。
【請求項４】
前記多孔質体は、前記凹部から貫通孔が形成されていることを特徴とする請求項１〜３の何れか１項に記載の育苗用培地。
【請求項５】
前記多孔質体は、直方体であり、
前記側面は、前記直方体の表面積が最大である面を含むことを特徴とする請求項１〜４の何れか１項に記載の育苗用培地。
【請求項６】
請求項１〜５の何れか１項に記載の育苗用培地の前記播種用の凹部に植物を播種する工程と、
該播種された植物を定植することが可能な状態になるまで育苗する工程を含み、
２次育苗のための鉢上げを実施しないことを特徴とする育苗方法。
【請求項７】
人工光を用いて、前記植物を育苗することを特徴とする請求項６に記載の育苗方法。
【請求項８】
前記植物は、トマトであることを特徴とする請求項６または７に記載の育苗方法。
【請求項９】
請求項６〜８の何れか１項に記載の育苗方法により植物を育苗する工程と、
該植物が育苗された育苗用培地から前記非透水性のフィルムを取り外す工程と、
該非透水性のフィルムが取り外された育苗用培地を定植する工程を含むことを特徴とする栽培方法。
【発明の詳細な説明】
【技術分野】
【０００１】
本発明は、育苗用培地、育苗方法および栽培方法に関する。
【背景技術】
【０００２】
トマト等の野菜の育苗に関しては、様々な方法が知られている。
【０００３】
例えば、トマトを育苗する場合は、７２穴から１２８穴程度のプラグトレイにトマトを播種した後、本葉が相互遮蔽を起こすまで育苗する１次育苗を実施した後、やや大きめのポットまたはロックウールキューブに苗を移植して、第１花房が展開する、すなわち、定植することが可能な状態になるまで育苗する２次育苗を実施することが知られている。
【０００４】
特許文献１には、植物の根茎が水の本体に接するように植物及び水を含むよう適合された育成環境を含む植物育成装置が開示されている。ここで、育成環境から水を引くように配置された吸引装置は、尿素メラミンホルムアルデヒドポリマーにより形成された発泡体から形成されたものである。
【先行技術文献】
【特許文献】
【０００５】
【特許文献１】特表２００７−５３７７３０号公報
【発明の概要】
【発明が解決しようとする課題】
【０００６】
このとき、植物を効率的に育苗するためには、第１花房が展開するまで、２次育苗のための鉢上げを実施せずに、１つの培地を用いることが考えられる。
【０００７】
しかしながら、１次育苗用培地と、２次育苗用培地とでは、求められる保水性および吸水性に違いがあるため、例えば、２次育苗を実施する際に１次育苗用培地を用いると、保水性が不足して苗の生育不良が発生する。これは、植物を育苗するのに伴い、根も長くなるため、育苗用培地の深さ方向に一定した保水性および吸水性が得られず、特に、育苗用培地の上側の保水性が不足するからである。ここで、育苗用培地の全体の保水性を高くすると、育苗用培地の下側の保水量が過剰となり、苗の根腐れが発生する。
【０００８】
ここで、尿素メラミンホルムアルデヒドポリマーにより形成された発泡体は、保水性および吸水性が低いため、特許文献１に開示されている吸引装置を用いても、２次育苗を実施せずに、定植することが可能な状態になるまで植物を育苗するのが困難である。
【０００９】
また、栽培スペースの限られる育苗環境下では、保水性および吸水性が適切な範囲内でないと、苗が徒長するため、隣の苗と葉が絡まり合って、定植時に葉がちぎれる等の問題がある。
【００１０】
本発明の一態様は、２次育苗のための鉢上げを実施せずに、定植することが可能な状態になるまで植物を育苗することが可能な育苗用培地を提供することを目的とする。
【００１１】
また、本発明の一態様は、苗の徒長を防止することが可能な育苗用培地を提供することを目的とする。
【課題を解決するための手段】
【００１２】
（１）播種用の凹部が上面に形成されている多孔質体の側面が非透水性のフィルムで取り外し可能に覆われており、前記多孔質体は、メラミン樹脂を含むことを特徴とする育苗用培地。
（２）前記凹部は、深さが５ｍｍ〜１０ｍｍの範囲内の切り込みであることを特徴とする（１）に記載の育苗用培地。
（３）前記切り込みは、十字状または格子状であることを特徴とする（２）に記載の育苗用培地。
（４）前記多孔質体は、前記凹部から貫通孔が形成されていることを特徴とする（１）〜（３）の何れか１項に記載の育苗用培地。
（５）前記多孔質体は、直方体であり、前記側面は、前記直方体の表面積が最大である面であることを特徴とする（１）〜（４）の何れか１項に記載の育苗用培地。
（６）（１）〜（５）の何れか１項に記載の育苗用培地の前記播種用の凹部に植物を播種する工程と、該播種された植物を定植することが可能な状態になるまで育苗する工程を含み、２次育苗のための鉢上げを実施しないことを特徴とする育苗方法。
（７）人工光を用いて、前記植物を育苗することを特徴とする（６）に記載の育苗方法。
（８）前記植物は、トマトであることを特徴とする（６）または（７）に記載の育苗方法。
（９）（６）〜（８）の何れか１項に記載の育苗方法により植物を育苗する工程と、該植物が育苗された育苗用培地から前記非透水性のフィルムを取り外す工程と、該非透水性のフィルムが取り外された育苗用培地を定植する工程を含むことを特徴とする栽培方法。
【発明の効果】
【００１３】
本発明の一態様によれば、２次育苗のための鉢上げを実施せずに、定植することが可能な状態になるまで植物を育苗することが可能な育苗用培地を提供することができる。
【００１４】
また、本発明の一態様によれば、苗の徒長を防止することが可能な育苗用培地を提供することができる。
【図面の簡単な説明】
【００１５】
【図１】本実施形態の育苗用培地の一例を示す模式図である。
【図２】図１の植物の苗を定植用培地に定植する方法の一例を示す模式図である。
【発明を実施するための形態】
【００１６】
以下、本発明を実施するための形態を説明する。
【００１７】
図１に、本実施形態の育苗用培地の一例を示す。
【００１８】
なお、図１は、育苗用培地１０を用いて、植物を育苗した例であり、苗Ｓは、第１花房Ｆが展開しており、定植することが可能な状態である。
【００１９】
育苗用培地１０は、播種用の凹部１１が上面に形成されている。ここで、多孔質体１２は、メラミン樹脂を含むため、吸水性および保水性が高く、多孔質体１２の側面が非透水性のフィルム１３で覆われているため、多孔質体１２の側面からの水の蒸発を抑制することができる。このため、育苗用培地１０は、適度な水分量を保持することができる。
【００２０】
ここで、側面とは、底面と上面とに挟まれる面である。
【００２１】
播種用の凹部１１の大きさ及び形状は、播種する種の大きさ、形状に応じて、適宜選択することができる。例えば、トマトのように、直径１ｍｍ〜２ｍｍ程度の大きさの種を用いる場合、播種用の凹部１１は、深さ５ｍｍ〜１０ｍｍの範囲内、幅５ｍｍ〜３０ｍｍの範囲内の切り込みであることが好ましい。これにより、切り込み内に種を挟み込むことができる。また、切り込みは、十字状または格子状であることが好ましい。これにより、種を挟み込む作業がより容易となり、より効率的に播種することができる。
【００２２】
育苗用培地１０は、吸水性および保水性が高い多孔質体１２の側面が非透水性のフィルム１３で覆われているため、植物を播種してから第１花房Ｆが展開するまでの間、植物の種および根Ｒに十分な水分を供給することができる。このため、２次育苗を実施せずに、第１花房Ｆが展開するまで植物を育苗することができる。その結果、苗Ｓの植え替えの手間を省けるため、苗Ｓの生産性を向上させることができる。また、苗Ｓは、多孔質体１２の側面と、非透水性のフィルム１３との隙間にも根Ｒを張ることが可能となるので、苗Ｓが生育しやすくなる。
【００２３】
また、育苗用培地１０は、保水性および吸水性が適切な範囲内となるため、苗の徒長を防止することができる。
【００２４】
また、非透水性のフィルム１３は、取り外し可能であり、例えば、多孔質体１２の側面を筒状の非透水性のフィルム１３で覆ってもよいし、多孔質体１２の側面を長方形の非透水性のフィルム１３で包んだ後、非透水性のフィルム１３の端部を解けないように粘着テープで留めてもよい。
【００２５】
多孔質体１２の孔径は、吸水性および保水性に応じて適宜選択することができるが、２０μｍ〜１０００μｍ程度であることが好ましい。
【００２６】
多孔質体１２の空孔率は、吸水性および保水性に応じて適宜選択することができるが、３０％〜９５％程度であることが好ましい。
【００２７】
ここで、多孔質体１２は、直方体であり、直方体の表面積が最大である面が側面に含まれる。
【００２８】
また、多孔質体１２は、凹部１１から貫通孔が形成されている。多孔質体１２は、空孔を有するため、苗Ｓが根Ｒを張ることができるが、凹部１１から貫通孔が形成されていると、苗Ｓが根Ｒを張りやすくなり、その結果、苗Ｓが生育しやすくなる。
【００２９】
貫通孔の孔径は、育苗する植物の根Ｒの径に応じて適宜選択することができるが、０．５ｍｍ〜２ｍｍ程度であることが好ましい。
【００３０】
貫通孔の個数は、育苗する植物に応じて適宜選択することができるが、１個の育苗用培地１０に対して、１０個〜１００個程度であることが好ましい。
【００３１】
貫通孔は、播種用の凹部１１から、側面および下面に向けて、放射状に形成されていることが好ましい。
【００３２】
非透水性のフィルム１３は、白色または濃色であると、アオコの発生を抑制することができる。また、非透水性のフィルム１３が透明であると、非透水性のフィルム１３を通して根Ｒを視認することができるので、苗Ｓの生育状態を確認しやすくなる。
【００３３】
非透水性のフィルム１３を構成する材料としては、特に限定されないが、ポリエチレン（ＰＥ）、ポリプロピレン（ＰＰ／ＯＰＰ）、ポリエチレンテレフタレート（ＰＥＴ）、ポリエチレンナフタレート（ＰＥＮ）、塩化ビニル樹脂（ＰＶＣ）、ポリスチレン（ＰＳ／ＯＰＳ）などの公知の材料を使用することができる。
【００３４】
次に、育苗用培地１０を用いて、植物を栽培する方法を説明する。
【００３５】
まず、育苗用培地１０の播種用の凹部１１に植物を播種した後、第１花房Ｆが展開するまで育苗する。
【００３６】
このとき、人工光を用いて、植物を育苗することが好ましい。育苗用培地１０を用いると、２次育苗を実施せずに、第１花房Ｆが展開するまで植物を育苗することができるため、太陽光に依存しない安定な育苗環境を適用することで、苗Ｓの生産性をさらに向上させることができる。
【００３７】
次に、育苗用培地１０から非透水性のフィルム１３を取り外した後、図２に示すように、苗Ｓを多孔質体１２と共に、定植用培地２１に定植する。このため、定植後の苗Ｓが多孔質体１２の側面からも定植用培地２１に根Ｒを張れるようになり、その結果、定植後の苗Ｓが生育しやすくなる。
【００３８】
このとき、多孔質体１２の側面のうち、面積が最大である面を下側にして、定植用培地２１に定植するため、苗Ｓは、根Ｒが張りやすくなり、定植後の苗Ｓがさらに生育しやすくなる。
【００３９】
なお、育苗用培地１０を用いて育苗する植物としては、特に限定されないが、トマト、キュウリ、ナス、ピーマン、コショウなどが挙げられる。これらの植物を育苗する際には、２次育苗を実施するのが一般的であるので、育苗用培地１０を用いる利点が大きい。これらの植物の中でも、トマトは、生育が早く、収穫量も多いので、育苗用培地１０を適用する効果が大きい。
【実施例】
【００４０】
多孔質体１２としての、縦３０ｍｍ、横６０ｍｍ、高さ７０ｍｍ、孔径約８０μｍ、空孔率６０％のメラミン樹脂の側面（４面）を、非透水性のフィルム１３としての、厚さ５０μｍの筒状のポリエチレン製の透明フィルムで覆った後、上面の中央に、長さ２０ｍｍ、深さ１０ｍｍの切り込みを１０ｍｍ幅で３本ずつ格子状に形成し、播種用の凹部１１とした。次に、播種用の凹部１１から、側面および下面（５面）に向けて、孔径１ｍｍの直線状の貫通孔を各面当たり１０本（合計５０本）形成し、育苗用培地１０を作製した。
【００４１】
育苗用培地１０に水を吸水させた後、播種用の凹部１１の中央にトマト（桃太郎ヨーク）（タキイ種苗製）を１粒播種し、水を張ったバットに並べて催芽器内に設置した。トマトを播種してから３日後に、育苗用培地１０を催芽器から人工光育苗装置内に移設した。ここで、人工光育苗装置では、底面給水を実施するため、水を張ったバットを取り除いた。育苗装置としては、苗テラス（三菱ケミカルアグリドリーム製）を用い、蛍光灯を明期１６時間で照射する環境とし、明期２５℃、暗期１８℃とした。また、育苗装置での灌水は１日１回とし、育苗用培地１０の底面に、ＥＣ１．６ｄＳ／ｍの養液を供給した。
【００４２】
その結果、トマトは、播種してから５日後に子葉が展開し始めた。さらに、トマトは、播種してから１４日後に、本葉が展開し始め、３５日後に本葉８枚が展開し、４５日後に第１花房Ｆが展開し、定植することが可能な状態となった。また、トマトの苗は、徒長していなかった。
【符号の説明】
【００４３】
１０    育苗用培地
１１    播種用の凹部
１２    多孔質体
１３    非透水性のフィルム
２１    定植用培地
Ｓ    苗
Ｆ    第１花房
Ｒ    根
【図１】
2019170340.tif 000003
【図２】
2019170340.tif 000004